(57)【要約】      （修正有）【課題】耳の経穴をより効果的に刺激でき、耳にフィットし、しかもデザイン性に優れたイヤリングの提供。【解決手段】側面略Ｃ字形をなす本体の上部の引掛部１の先端に球状突起５ａを側面から見て内外に突出した状態に配置し、かつ、その本体の下部の裏押え部３の先端を内面側に巻き込んで円環６を形成してなり、全体を変形させることにより球状突起５ａと円環６との間の開口部の開口幅を調整できるようにした金や銀等の貴金属等製のイヤリング。【選択図】図３
0003135191.tif 000002
【実用新案登録請求の範囲】
【請求項１】
側面略Ｃ字形をなす本体（Ａ’，Ｂ’，３３’，３６’，４４’，４８’）の上部の引掛部（１，２１，３１，３４、４１，４５）の先端に球状突起（５ａ，５ｂ，２７ａ，２７ｂ，３７ａ，３７ｂ，４９ａ，４９ｂ）を側面から見て内外に突出した状態に配置し、かつ、その本体（Ａ’，Ｂ’，３３’，３６’，４４’，４８’）の下部の裏押え部（３，２２，３２，３５，４２，４６）の先端を内面側に巻き込んで円環（６，２８，３８ａ，３８ｂ，５０ａ，５０ｂ）を形成してなり、全体を変形させることにより上記球状突起（５ａ，５ｂ，２７ａ，２７ｂ，３７ａ，３７ｂ，４９ａ，４９ｂ）と円環（６，２８，３８ａ，３８ｂ，５０ａ，５０ｂ）との間の開口部（７，２９，４０，５１ａ，５１ｂ）の開口幅を調整できるようにした金や銀等の貴金属等製のものであることを特徴とするイヤリング。
【請求項２】
側面略Ｃ字形をなす本体（Ａ’，Ｂ’）の上部の半円状に湾曲した引掛部（１，２１）の先端に、球状突起（５ａ，５ｂ、２７ａ，２７ｂ）を側面から見て内外に突出した状態に配置し、その本体（Ａ’，Ｂ’）の下部の弧状に湾曲した裏押え部（３，２２）の先端を内面側に巻き込んで円環（６，２８）を形成してなり、全体を変形させることにより上記球状突起（５ａ，５ｂ、２７ａ，２７ｂ）と上記円環（６，２８）との間の開口部（７，２９）の開口幅を調整できるようにした金や銀等の貴金属等製のものであることを特徴とするイヤリング。
【請求項３】
隆起部（２ａ，２ｂ）を形成した装飾部（２）を備えたことを特徴とする請求項２記載のイヤリング。
【請求項４】
逆Ｃ字形部（２３）とＣ字形部（２５）とを互いに噛合した状態で接合した装飾部を備えたことを特徴とする請求項２記載のイヤリング。
【請求項５】
側面略Ｃ字形をなす本体（３３’）の上部の半円形に湾曲した引掛部（３４）の先端に球状突起（３７ａ）を側面から見て内外に突出した状態に配置し、その本体（３３’）の下部の弧状に湾曲した裏押え部（３２）の先端を内面側に巻き込んで円環（３８ａ）を形成した金や銀等の貴金属等製の第１のリング（３３）、および、側面略Ｃ字形をなす本体（３６’）の上部の半円形に湾曲した引掛部（３４）の先端に球状突起（３７ｂ）を側面から見て内外に突出した状態に配置し、その本体（３６’）の下部の弧状に湾曲した裏押え部（３５）の先端を内面側に巻き込んで円環（３８ｂ）を形成した金や銀等の貴金属等製の第２のリング（３６）を、互いの背部を交差させ互いの球状突起（３７ａ）と（３７ｂ）、および、円環（３８ａ）と（３８ｂ）を一致させた状態にして接合してなり、全体を変形させることにより上記球状突起（３７ａ，３７ｂ）と円環（３８ａ，３８ｂ）との間の開口部（４０）の開口幅を調整できるようにしたことを特徴とするイヤリング。
【請求項６】
側面略Ｃ字形をなす本体（４４’）のその上部の半円形に湾曲した引掛部（４１）の先端に球状突起（４９ａ）を側面から見て内外に突出した状態に配置し、その本体（４４’）の下部の弧状に湾曲した裏押え部（４２）の先端を内面側に巻き込んで円環（５０ａ）を形成し、その一側縁を波状縁部（４３）とした金や銀等の貴金属等製の第１のリング（４４）、および、上記第１のリング（４４）と同大の側面略Ｃ字形をなす本体（４８’）の上部の半円形に湾曲した引掛部（４５）の先端に球状突起（４９ｂ）を側面から見て内外に突出した状態に配置し、その本体（４８’）の下部の弧状に湾曲した裏押え部（４６）の先端を内面側に巻き込んで円環（５０ｂ）を形成し、上記第１のリング（４４）の波状縁部（４３）と対向することとなる一側縁を、該第１のリング（４４）の波状縁部（４３）の凹凸と合致対応する波状縁部（４７）とした金や銀等の貴金属等製の第２のリング（４８）からなり、上記第１および第２のリング（４４，４８）がそれぞれ、全体を変形させることにより上記球状突起（４９ａ，４９ｂ）と円環（５０ａ，５０ｂ）との間の開口部（５１ａ，５１ｂ）の開口幅を調整できるようにしたことを特徴とするイヤリング。
【考案の詳細な説明】
【技術分野】
【０００１】
本考案は、イヤリングに関する。
【背景技術】
【０００２】
耳針療法は、古来より中国古典医学の随所に見られるが、近年、フランスの医師Ｐ．ノジェが生理解剖学的にまとめ上げて以来、各国の学者の注目するところとなっている。
【０００３】
日本国内でも、既に１９８５年、向野義人ら研究グループの研究により、耳針療法の有効性が示され、これが単なる暗示療法ではないことを証明している。
その後も、耳針療法の研究は東海大学医学部や名古屋大学医学部の研究グループなどにより盛んに行われており、その有効性を疑問視する見解は見当たらない。
【０００４】
この耳針療法は、耳介に分布している脳神経枝や迷走神経の走行部位に物理刺激を加えることで効果的な生理反応を引き出すものであるが、その刺激方法は針の刺入刺激には限定されず、金属を接触させることによる刺激でも耳針療法と同様の生理反応が得ることができる。
考案者は、様々な素材を用いて耳介刺激の研究を行った結果、導電性の高い金属による刺激で好成績を得られ、これにより自律神経を調整し、また、ほぼ全身にわたる不定愁訴等を改善することができることが明らかになった。
なお、耳介への金属刺激の効果について、Ｐ．ノジェは、全症例の７０％に効果があると述べている。
【０００５】
耳介に刺激を与えるイヤリングとしては、従来、特許文献１に記載のものがある。これは、側面略Ｃ字形をなし、その一端を耳甲介腔内に、他端を耳垂（耳たぶ）の裏側に位置させて耳に取り付けられるようになっており、その耳甲介腔内に位置する一端には内方に向けて、経穴（ツボ）を刺激するための突起が形成されている（特許文献１の図２参照）。
【特許文献１】登録実用新案第３０２７５４８号公報
【考案の開示】
【考案が解決しようとする課題】
【０００６】
しかし、そのイヤリングは、上記の内方に向いた突起により対珠の内側を刺激することはできたが、耳甲介腔の窪みの底部に位置している各種の経穴を効果的に刺激するようにはなっていない。
また、耳の大きさは個人差があるので各人の耳にフィットしやすいものとするのが好ましく、さらにはデザイン性に優れたものが良い。
【０００７】
そこで、本考案は、耳の経穴をより効果的に刺激でき、耳にフィットし、しかもデザイン性に優れたイヤリングの提供を課題とする。
【課題を解決するための手段】
【０００８】
請求項１記載の本考案は、側面略Ｃ字形をなす本体（Ａ’，Ｂ’，３３’，３６’，４４’，４８’）の上部の引掛部（１，２１，３１，３４、４１，４５）の先端に球状突起（５ａ，５ｂ，２７ａ，２７ｂ，３７ａ，３７ｂ，４９ａ，４９ｂ）を側面から見て内外に突出した状態に配置し、かつ、その本体（Ａ’，Ｂ’，３３’，３６’，４４’，４８’）の下部の裏押え部（３，２２，３２，３５，４２，４６）の先端を内面側に巻き込んで円環（６，２８，３８ａ，３８ｂ，５０ａ，５０ｂ）を形成してなり、全体を変形させることにより上記球状突起（５ａ，５ｂ，２７ａ，２７ｂ，３７ａ，３７ｂ，４９ａ，４９ｂ）と円環（６，２８，３８ａ，３８ｂ，５０ａ，５０ｂ）との間の開口部（７，２９，４０，５１ａ，５１ｂ）の開口幅を調整できるようにした金や銀等の貴金属等製のイヤリングである。
【０００９】
請求項２記載の本考案は、側面略Ｃ字形をなす本体（Ａ’，Ｂ’）の上部の半円状に湾曲した引掛部（１，２１）の先端に、球状突起（５ａ，５ｂ、２７ａ，２７ｂ）を側面から見て内外に突出した状態に配置し、その本体（Ａ’，Ｂ’）の下部の弧状に湾曲した裏押え部（３，２２）の先端を内面側に巻き込んで円環（６，２８）を形成してなり、全体を変形させることにより上記球状突起（５ａ，５ｂ、２７ａ，２７ｂ）と上記円環（６，２８）との間の開口部（７，２９）の開口幅を調整できるようにした金や銀等の貴金属等製のイヤリングである。
【００１０】
請求項３記載の本考案は、隆起部（２ａ，２ｂ）を形成した装飾部（２）を備えた請求項２記載のイヤリングである。
【００１１】
請求項４記載の本考案は、逆Ｃ字形部（２３）とＣ字形部（２５）とを互いに噛合した状態で接合した装飾部を備えた請求項２記載のイヤリングである。
【００１２】
請求項５記載の本考案は、側面略Ｃ字形をなす本体（３３’）の上部の半円形に湾曲した引掛部（３４）の先端に球状突起（３７ａ）を側面から見て内外に突出した状態に配置し、その本体（３３’）の下部の弧状に湾曲した裏押え部（３２）の先端を内面側に巻き込んで円環（３８ａ）を形成した金や銀等の貴金属等製の第１のリング（３３）、および、側面略Ｃ字形をなす本体（３６’）の上部の半円形に湾曲した引掛部（３４）の先端に球状突起（３７ｂ）を側面から見て内外に突出した状態に配置し、その本体（３６’）の下部の弧状に湾曲した裏押え部（３５）の先端を内面側に巻き込んで円環（３８ｂ）を形成した金や銀等の貴金属等製の第２のリング（３６）を、互いの背部を交差させ互いの球状突起（３７ａ）と（３７ｂ）、および、円環（３８ａ）と（３８ｂ）を一致させた状態にして接合してなり、全体を変形させることにより上記球状突起（３７ａ，３７ｂ）と円環（３８ａ，３８ｂ）との間の開口部（４０）の開口幅を調整できるようにしたイヤリングである。
【００１３】
請求項６記載の本考案は、側面略Ｃ字形をなす本体（４４’）のその上部の半円形に湾曲した引掛部（４１）の先端に球状突起（４９ａ）を側面から見て内外に突出した状態に配置し、その本体（４４’）の下部の弧状に湾曲した裏押え部（４２）の先端を内面側に巻き込んで円環（５０ａ）を形成し、その一側縁を波状縁部（４３）とした金や銀等の貴金属等製の第１のリング（４４）、および、上記第１のリング（４４）と同大の側面略Ｃ字形をなす本体（４８’）の上部の半円形に湾曲した引掛部（４５）の先端に球状突起（４９ｂ）を側面から見て内外に突出した状態に配置し、その本体（４８’）の下部の弧状に湾曲した裏押え部（４６）の先端を内面側に巻き込んで円環（５０ｂ）を形成し、上記第１のリング（４４）の波状縁部（４３）と対向することとなる一側縁を、該第１のリング（４４）の波状縁部（４３）の凹凸と合致対応する波状縁部（４７）とした金や銀等の貴金属等製の第２のリング（４８）からなり、上記第１および第２のリング（４４，４８）がそれぞれ、全体を変形させることにより上記球状突起（４９ａ，４９ｂ）と円環（５０ａ，５０ｂ）との間の開口部（５１ａ，５１ｂ）の開口幅を調整できるようにしたイヤリングである。
【考案の効果】
【００１４】
本考案イヤリングは、球状突起により耳の経穴をより効果的に刺激できるもので、開口部の開口幅を調整することにより使用者の耳にフィットさせることができ、しかも、デザイン性に優れたものである。
【考案を実施するための最良の形態】
【００１５】
側面略Ｃ字形をなす本体（Ａ’，Ｂ’，３３’，３６’，４４’，４８’）の上部の引掛部（１，２１，３１，３４、４１，４５）の先端に球状突起（５ａ，５ｂ，２７ａ，２７ｂ，３７ａ，３７ｂ，４９ａ，４９ｂ）を側面から見て内外に突出した状態に配置し、かつ、その本体（Ａ’，Ｂ’，３３’，３６’，４４’，４８’）の下部の裏押え部（３，２２，３２，３５，４２，４６）の先端を内面側に巻き込んで円環（６，２８，３８ａ，３８ｂ，５０ａ，５０ｂ）を形成してなり、全体を変形させることにより上記球状突起（５ａ，５ｂ，２７ａ，２７ｂ，３７ａ，３７ｂ，４９ａ，４９ｂ）と円環（６，２８，３８ａ，３８ｂ，５０ａ，５０ｂ）との間の開口部（７，２９，４０，５１ａ，５１ｂ）の開口幅を調整できるようにした金や銀等の貴金属等製のイヤリング。
【実施例１】
【００１６】
まず本考案の実施例１のイヤリングについて詳しく説明する（図１〜３）。
【００１７】
実施例１のイヤリングＡは、側面略Ｃ字形をなす本体Ａ’の上部を側面半円状に湾曲した引掛部１とし、外面に形成された装飾部２を介してその引掛部１に連続する下部を、上記引掛部１よりもゆるく弧状に湾曲した裏押え部３としているものである。
上記引掛部１と裏押え部３の外面には上下方向に浅溝４を形成することにより左右の隆起部１ａ，１ｂ、３ａ，３ｂが形成されており、その断面は２つの扁平な半楕円を幅方向に接合した形状となっている。
【００１８】
上記装飾部２は、２つの隆起部２ａ，２ｂを引掛部１および裏押え部３の隆起部１ａ，１ｂ、３ａ，３ｂに対して斜めに形成してなる。
【００１９】
上記引掛部１の先端には、左右２つの球状突起５ａ，５ｂが、側面から見て内外に突出した状態にして固定されている（図２）。
上記裏押え部３の先端は内面側に巻き込まれ小径の円環６を形成している。
【００２０】
このイヤリングＡは、銀（９５０銀）製のものであるが、図中黒点で表した部分、すなわち、引掛部１の右側の隆起部１ｂの外面、装飾部２の２つの隆起部２ａ，２ｂのうち上側のもの２ａの外面、裏押え部３の左側の隆起部３ａの外面、および、右側の球状突起５ｂの表面の部分については、２４金でコーティングしている。
それは、手指で力を加えて全体を変形させることにより、変形させることができる程度の硬度のものである。
なお、材質としては金や銀以外、白金（プラチナ）、チタン等（以下、これらを「貴金属等」という。）を適宜採用することもできるが、同程度の硬度の貴金属等性のものとするのが好ましい。
このイヤリングＡは、手指で力を加えて全体を変形させることにより、上記球状突起５ａ，５ｂと円環６との間の開口部７の開口幅を変更することができる程度の柔軟性を備えた貴金属等からなるので、使用者の耳に合わせて上記開口幅を変更することで耳にフィットさせることができる。
【００２１】
このイヤリングＡは、耳輪１１の最も肉薄な箇所である後縁部１２に上記開口部７を通し、耳輪１１に沿って耳垂１３のほうへ摺動させることにより、上記引掛部１を対珠１４に掛け、その先端の球状突起５ａ，５ｂを耳甲介腔１５内（対珠１４の内面側）の所望の箇所に位置させ、また、裏押え部３の円環６を耳垂１３の裏側に位置させて装着される。
その装着は、該イヤリングＡを手指で適宜変形させて上記開口部７の開口幅を変更することにより、各自の耳の形状に合わせた状態で行うのが好ましい。
【００２２】
このイヤリングＡを適宜位置決めして装着することにより、内外に突出した状態になっている上記２つの球状突起５ａ，５ｂが、対珠１４の内面１６あるいはこれに対向する耳甲介腔１５の底面１７に軽く当接してそれらの箇所を適宜刺激することができる。
その刺激は、上記２つの球状突起５ａ，５ｂにより、所望の箇所に集中的に行うことができる。また、開口部９の開口幅を十分に広くして装着することにより、耳輪１１沿ってある程度揺動可能となり、対珠１４の内面１６あるいはこれに対向する耳甲介腔１５の底面１７の広い範囲を刺激することも可能である。
【００２３】
上記の球状突起５ａ，５ｂにより、対珠１４の内面１６あるいはこれに対向する耳甲介腔１５の底面１７に存在する各種の経穴（ツボ）が効果的に刺激される。
【００２４】
したがって、このイヤリングＡを装着するだけで、経穴を刺激し、老若男女を問わず簡単に心身のリバランス（re-balance）を図ることができる。
たとえば、過剰な食欲を抑制することによるダイエット、肩こりの改善、内臓の働きの活性化等による体調改善、集中力の向上等の効果等が期待できる。
【００２５】
なお、耳垂１３の裏側には、上記円環６の曲面が当接するので、長時間着用しても耳垂１３に痛みを感じるようなことがない。
【００２６】
このイヤリングＡは、上記の通り開口部７の開口幅を変更することで各人の耳にフィットさせることがきるほか、導電性が高く不純物が少ない金および銀からなるので、ほとんど金属アレルギーを発生させず、生体電流を整える効果も期待でき、また、デザイン性にも優れている。
【００２７】
近年、”生活習慣病”は増加の一途をたどっており、特に癌患者数は１０年後には現在の２倍に膨れ上がると予測する研究もある。
この生活習慣病に対しては、医療に依存するよりも個人単位で自己防衛策を講じるほうがはるかに得策であり、これこそが新しい予防医学のスタイルであると考えられているところ、上記のイヤリングＡによる耳介刺激は、耳針療法と同様の生理反応を得ることができ、また、個人単位で行える自己防衛的な予防医学のスタイルとして、現代人のライフスタイルに取り入れやすいもので、有用性が高い。
【００２８】
なお、上記球状突起５ａ，５ｂを帯磁させたものとするのも好ましい。これにより即効的な心身のリバランス効果が期待される。したがって、このイヤリングＡを日常的に着用していない場合であっても、磁気を帯びた球状突起５ａ，５ｂにより経穴を効果的に刺激することにより、着用直後からその効果が期待される。その球状突起５ａ，５ｂは、イヤリングＡを予め成形しておき、その後に帯磁させることとしてもよいし、予め帯磁させた球状の部材を固定して製作してもよい。
【実施例２】
【００２９】
続いて本考案の実施例２のイヤリングについて説明する（図４，５）。
【００３０】
実施例２のイヤリングＢは、側面略Ｃ字形をなす本体Ｂ’の上部を、側面半円状に湾曲した引掛部２１とし、その下部を、上記引掛部２１よりもゆるく弧状に湾曲した裏押え部２２としている。
上記引掛部２１は、上記裏押え部２２側の位置に逆Ｃ字形部２３を形成し、その上側の幅方向中央の位置に長孔２４を開設している。また、上記裏押え部２２は、上記引掛部２１側の位置にＣ字形部２５を形成し、その下部の幅方向中央の位置に長孔２６を開設している。
上記引掛部２１と裏押え部２２とは、前者の逆Ｃ字形部２３と後者のＣ字形部２５とが噛合した状態で接合されており、互いに噛合した状態で接合された逆Ｃ字形部２３とＣ字形部２５および長孔２４，２６は装飾部を構成しこのイヤリングＢのデザイン性を高めている。
【００３１】
上記引掛部２１の先端には、左右２つの球状突起２７ａ，２７ｂが、側面から見て内外に突出した状態にして固定されている（図５）。
上記裏押え部２２の先端は内面側に巻き込まれ小径の円環２８を形成している。
【００３２】
上記引掛部２１は金製であるが、一方の球状突起２７ａは銀（９５０銀）製である。ただし、その球状突起２７ａは表面のみを銀でコーティングしたものとしてもよい。上記裏押え部２２は銀（９５０銀）製である。
【００３３】
このイヤリングＢは、実施例１のイヤリングＡと同様、デザイン性に優れているだけでなく、手指で変形させることができる程度の柔軟性を備えており、使用者の耳に合わせて上記球状突起２７ａ，２７ｂと円環２８との間の開口部２９の開口幅を変更して使用者の耳にフィットさせることができる。
これを装着して、上記球状突起２７ａ，２７ｂにより対珠１４の内面１６あるいは耳甲介腔１５の底面１７の経穴を効果的に刺激することにより、実施例１のイヤリングＡと同様、心身のリバランスを図ることができる。
【実施例３】
【００３４】
続いて本考案の実施例３のイヤリングについて説明する（図６，７）。
【００３５】
実施例３のイヤリングＣは、側面略Ｃ字形をなす本体３３’の上部を、半円形に湾曲した引掛部３１とし、その下部を、その引掛部３１よりも緩く弧状に湾曲した裏押え部３２とした、金製の第１のリング３３、および、これとほぼ同形同大の銀（９５０銀）製で、側面略Ｃ字形をなす本体３６’の上部を、半円形に湾曲した引掛部３４とし、下部を、その引掛部３４に連続し、それよりも緩く弧状に湾曲した裏押え部３５とした、第２のリング３６を、互いの背部を交差させた状態にして接合してなるものである。
第１および第２のリング３１，３６それぞれの引掛部３１，３４の先端には、各１つずつの球状突起３７ａ，３７ｂが、側面から見て内外に突出した状態にして固定されている（図７）。
また、両リング３１，３６の裏押え部３２，３５の端部は内側に巻き込まれ小径の円環３８ａ，３８ｂを形成している。
なお、第１および第２のリング３１と３６との接合は、側面から見たときに上記球状突起３７ａ，３７ｂが一致しかつ円環３８ａ，３８ｂが一致するように行われている。  
３９は、上記第１のリング３１の外面に、溝を入れて形成した装飾である。
【００３６】
このイヤリングＣは、実施例１，２のイヤリングＡ，Ｂと同様、デザイン性に優れているだけでなく、手指で変形させることができる程度の柔軟性を備えており、使用者の耳に合わせて上記球状突起３７ａ，３７ｂと円環３８ａ，３８ｂとの間の開口部４０の開口幅を変更して使用者の耳にフィットさせることができる。
これを装着して、上記球状突起３７ａ，３７ｂにより対珠１４の内面１６あるいは耳甲介腔１５の底面１７の経穴を効果的に刺激することにより、実施例１，２のイヤリングＡ，Ｂと同様、心身のリバランスを図ることができる。
【実施例４】
【００３７】
最後に本考案の実施例４のイヤリングについて説明する（図８〜１０）。
【００３８】
実施例４のイヤリングＤは、側面略Ｃ字形をなす本体４４’の上部を側面半円形に湾曲した引掛部４１とし、その下部を、該引掛部４１よりも緩く湾曲した弧状の裏押え部４２とし、その一側縁（左縁）に凹凸を形成して波状縁部４３とした金製の第１のリング４４、および、上記第１のリング４４と同大の側面略Ｃ字形をなす本体４８’の上部を側面半円形に湾曲した引掛部４５とし、その下部を、該引掛部４５よりも緩く湾曲した弧状の裏押え部４６とし、上記第１のリング４４と対向することとなる一側縁（右縁）に、上記第１のリング４４の波状縁部４３の凹凸と合致対応する凹凸を形成して波状縁部４７とした銀（９５０銀）製の第２のリング４８を組み合わせてなるものである。
【００３９】
第１および第２のリング４４，４８それぞれの上側の先端には、各１つずつの球状突起４９ａ，４９ｂが、側面から見て内外に突出した状態にして固定されている（図９，１０）。
また、両リング４４，４８の下側端部は内側に巻き込まれ小径の円環５０ａ，５０ｂを形成している。
【００４０】
このイヤリングＤは、別個に形成された２つのリング４４，４８を組み合わせてなるもので、両者の波状縁部４３と４７とを対向させ、両者間に若干の間隔をあけた位置関係（図８に示した位置関係）にして耳に装着することができ、デザイン性が高く趣向性に富むものである。
ただし、さらに距離をおいて装着することや、それぞれを左右の耳に装着することも可能であるし、いずれか一方を単独で装着してもよい。
【００４１】
このイヤリングＤの各リング４４，４８は、デザイン性に優れているだけでなく、手指で変形させることができる程度の柔軟性を備えており、使用者の耳に合わせて上記球状突起４９ａ，４９ｂと円環５０ａ，５０ｂとの間の開口部５１ａ，５１ｂの開口幅を変更して使用者の耳にフィットさせることができる。
実施例１〜３のイヤリングＡ〜Ｃと同様にしてこれを装着し、上記球状突起４９ａ，４９ｂにより対珠１４の内面１６あるいは耳甲介腔１５の底面１７の経穴を効果的に刺激することにより、心身のリバランスを図ることができる。
【図面の簡単な説明】
【００４２】
【図１】本考案の実施例１に係るイヤリングを示す斜視図である。
【図２】同上の側面図である。
【図３】（ａ）はそのイヤリングの装着状態を示す図である。  （ｂ）は図３（ａ）のＩ−Ｉ線断面図である。
【図４】本考案の実施例２に係るイヤリングを示す斜視図である。
【図５】同上の側面図である。
【図６】本考案の実施例３に係るイヤリングを示す斜視図である。
【図７】同上の側面図である。
【図８】本考案の実施例４に係るイヤリングを示す斜視図である。
【図９】同上の側面図である。
【図１０】同上のイヤリングを構成する第１および第２のリングを分離した状態の斜視図である。
【符号の説明】
【００４３】
Ａ，Ｂ，Ｃ，Ｄ    イヤリング
Ａ’，Ｂ’，３３’、３６’、４４’、４８’ 本体
１，２１，３１，３４   引掛部
１ａ，１ｂ、２ａ，２ｂ、３ａ，３ｂ  隆起部
５ａ，５ｂ，２７ａ，２７ｂ，３７ａ，３７ｂ，４９ａ，４９ｂ 球状突起
６，２８，３８ａ，３８ｂ，５０ａ，５０ｂ 円環
７，２９，４０，５１   開口部
３３，４４    第１のリング
３４，４８    第２のリング
【図１】
0003135191.tif 000003
【図２】
0003135191.tif 000004
【図３】
0003135191.tif 000005
【図４】
0003135191.tif 000006
【図５】
0003135191.tif 000007
【図６】
0003135191.tif 000008
【図７】
0003135191.tif 000009
【図８】
0003135191.tif 000010
【図９】
0003135191.tif 000011
【図１０】
0003135191.tif 000012